(57)【要約】      （修正有）【課題】従来の人工芝生に存在する、収納が難しい、リユース率が低い、芝生の縁部から黒い糸が抜けるといった一連の技術問題を有効に解決できるオーバーロック多機能人工芝生を提供する。【解決手段】人造草糸１、基布層２、滑り止め層３及びオーバーロック構造４を含む。人造草糸が基布層にタフティングされ、滑り止め層が基布層の底部に接着され、基布層と滑り止め層の周りの縁部にはオーバーロック構造が設置され、オーバーロック構造はテリレン糸でオーバーロックされてなる。【選択図】図１
0003233164.tif 000002
【実用新案登録請求の範囲】
【請求項１】
オーバーロック多機能人工芝生であって、人造草糸１、基布層２、滑り止め層３及びオーバーロック構造４を含み、
前記人造草糸１は前記基布層２にタフティングされ、前記滑り止め層３は前記基布層２の底部に接着され、
前記基布層２と前記滑り止め層３の周りの縁部には前記オーバーロック４構造が設置され、
前記オーバーロック構造４はテリレン糸でオーバーロックされてなる、ことを特徴とするオーバーロック多機能人工芝生。
【請求項２】
前記オーバーロック構造４は２本糸オーバーロック構造、３本糸オーバーロック構造、４本糸オーバーロック構造、５本糸オーバーロック構造の中の一種である
ことを特徴とする請求項１に記載のオーバーロック多機能人工芝生。
【請求項３】
前記２本糸オーバーロック構造は上糸と縫い糸とを含む
ことを特徴とする請求項２に記載のオーバーロック多機能人工芝生。
【請求項４】
前記３本糸オーバーロック構造、前記４本糸オーバーロック構造、前記５本糸オーバーロック構造は何れも上糸、下糸と縫い糸とを含む
ことを特徴とする請求項２に記載のオーバーロック多機能人工芝生。
【請求項５】
前記上糸、下糸と縫い糸は三種類の仕様が同一なテリレン糸であり、或いは、少なくとも一つは異なる仕様のテリレン糸である
ことを特徴とする請求項４に記載のオーバーロック多機能人工芝生。
【請求項６】
前記オーバーロック構造４のオーバーロック幅は０．５〜１．５ｃｍである
ことを特徴とする請求項１に記載のオーバーロック多機能人工芝生。
【請求項７】
前記オーバーロック構造４のオーバーロック幅は０．６〜１．０ｃｍであることを特徴とする請求項６に記載のオーバーロック多機能人工芝生。
【請求項８】
人工芝生の面積が１ｍ２より小さい場合、前記オーバーロック構造４の幅は０．６〜０．７ｃｍで、人工芝生の面積が１ｍ２より大きい場合、前記オーバーロック構造４の幅は０．７〜１ｃｍである
ことを特徴とする請求項７に記載のオーバーロック多機能人工芝生。
【請求項９】
前記滑り止め層３はＴＰＥゴム層、ＴＰＲゴム層、ＥＶＡゴム層、ＰＥプラスチック層、ＰＯＥゴム層、プラスチックドット付き不織布層の中の一種又は複数種の混合物である
ことを特徴とする請求項１に記載のオーバーロック多機能人工芝生。
【考案の詳細な説明】
【技術分野】
【０００１】
本考案は人工芝生の技術分野に関し、より具体的には、オーバーロック（ｏｖｅｒｌｏｃｋ）多機能人工芝生に関する。
【背景技術】
【０００２】
近年、人工芝生産業は急速に発展しており、人工芝生は使用コスト、メンテナンスや保守、耐久性、常緑などの面で優位性が顕著で、国内では、人工芝生がコミュニティの余暇活動の主な器材になると見込まれており、コミュニティの子供の遊び場では人工芝生は次第にプラスチックフロアーに取って代わることになり、海外ではレジャー用芝もだんだん人々の日常生活に浸透して日用消費財になっている。人工芝生のレジャー面での応用を加速させ、市場の急速な発展を求めるためには、新たな技術、新たなプロセス分野を開発し、前向きな研究開発配置を行う必要がある。
【０００３】
従来の通常の人工芝生の底背面はカルボキシル化スチレンブタジエンラテックスとポリウレタンラテックスであり、底背面が硬くて耐水性に劣り、また、従来の底背面の芝生を規格の小さいの芝生マットに分けて切ると、収納が難しい、リユース率が低い、芝生の縁部から黒い糸が抜けるといった一連の問題がある。
【０００４】
従って、如何にして抜けを防止し、リユース率が高い人工芝生を提供できるかは、当業者にとって早急に解決したい問題となっている。
【考案の概要】
【考案が解決しようとする課題】
【０００５】
それに鑑みて、本考案は、従来の人工芝生に存在する、収納が難しい、リユース率が低い、芝生の縁部から黒い糸が抜けるといった一連の技術問題を有効に解決できるオーバーロック多機能人工芝生を提供する。
【課題を解決するための手段】
【０００６】
上記目的を実現するために、本考案は以下のような技術案を採用する。
【０００７】
オーバーロック多機能人工芝生であって、人造草糸、基布層、滑り止め層及びオーバーロック構造を含み、前記人造草糸は前記基布層にタフティングされ、前記滑り止め層は前記基布層の底部に接着され、前記基布層と前記滑り止め層の周りの縁部には前記オーバーロック構造が設置され、前記オーバーロック構造はテリレン糸でオーバーロックされてなる。
【０００８】
好ましくは、上記オーバーロック多機能人工芝生において、前記オーバーロック構造は２本糸オーバーロック構造、３本糸オーバーロック構造、４本糸オーバーロック構造、５本糸オーバーロック構造の中の一種であり、好ましくは２本糸オーバーロック構造、３本糸オーバーロック構造であり、より好ましくは３本糸オーバーロック構造であり、これにより、人工芝生構造をよりシンプルで美しくできる。
【０００９】
好ましくは、上記オーバーロック多機能人工芝生において、前記２本糸オーバーロック構造は上糸と縫い糸とを含む。
【００１０】
好ましくは、上記オーバーロック多機能人工芝生において、前記３本糸オーバーロック構造、前記４本糸オーバーロック構造、前記５本糸オーバーロック構造は何れも上糸、下糸と縫い糸とを含む。
【００１１】
好ましくは、上記オーバーロック多機能人工芝生において、前記上糸、下糸と縫い糸は三種類の仕様が同一なテリレン糸であり、或いは、少なくとも一つは異なる仕様のテリレン糸である。
【００１２】
好ましくは、上記オーバーロック多機能人工芝生において、上糸と縫い糸は３０００Ｙ−５０００Ｙのテリレン糸として、上糸は５００Ｙ−２０００Ｙのテリレン糸とすることで、全体としてより重厚で品質がよく見えて、さらに単位面積あたりの重量が小さいの下糸を採用して、芝生と接触面とをよりフラットにフィットするようにする。
【００１３】
好ましくは、上記オーバーロック多機能人工芝生において、前記オーバーロック構造のオーバーロック幅は０．５〜１．５ｃｍである。
【００１４】
好ましくは、上記オーバーロック多機能人工芝生において、前記オーバーロック構造のオーバーロック幅は０．６〜１．０ｃｍである。
【００１５】
好ましくは、上記オーバーロック多機能人工芝生において、人工芝生の面積が１ｍ２より小さい場合、前記オーバーロック構造の幅は０．６〜０．７ｃｍで、人工芝生の面積が１ｍ２より大きい場合、前記オーバーロック構造の幅は０．７〜１ｃｍである。
【００１６】
好ましくは、上記オーバーロック多機能人工芝生において、前記滑り止め層はＴＰＥゴム層、ＴＰＲゴム層、ＥＶＡゴム層、ＰＥプラスチック層、ＰＯＥゴム層、プラスチックドット付き不織布層の中の一種又は複数種の混合物である。
【００１７】
上記の技術案により分かるように、従来技術と比較して、本考案の開示は、用途が広く、ドアマット、ピクニックマット、湿気防止マット、ヨガマット、幼稚園芝生カーペットなどとして使用できる、オーバーロック多機能人工芝生を提供し、しかも収納が難しい、リユース率が低い、芝生の縁部から黒い糸が抜けるといった一連の問題を効果的に解決し、芝生の周りの縁部にはオーバーロック構造が設けられていることにより、芝生をより美しくし、製品をより品質が高く見えるようにする。
【図面の簡単な説明】
【００１８】
本考案の実施例又は従来技術における技術案をより明確に説明するため、以下では、実施例或いは従来技術の説明に必要とされる添付図面を簡単に説明する。下記説明における添付図面は本考案の実施例に過ぎないことは明らかであって、当業者にとって、創造的な労働を行わないことを前提に、提供された添付図面により他の添付図面を得ることもできる。
【図１】本考案のオーバーロック多機能人工芝生の側面図である。
【図２】本考案のオーバーロック多機能人工芝生の平面図である。
【考案を実施するための形態】
【００１９】
以下では、本考案の実施例における技術案を明確且つ完全に説明する。説明される実施例は本考案の全ての実施例ではなく、一部の実施例に過ぎないことは明らかである。本考案における実施例に基づいて、当業者が創造的な労働を行わないことを前提に得られた全ての他の実施例は、本考案の保護する範囲に属す。
【００２０】
実施例１
実施例１はオーバーロック多機能人工芝生であり、まずはダブルツイストの人造草糸１を基布層２上にタフティングして、半製品の芝生を作り、そして、タフティングが完了した半製品の芝生の底背面に一つのＴＰＥの滑り止め層３を塗布して、エンボスローラによって滑り止め紋様をホットスタンピングし、滑り止め層の重さは１ｋｇ／ｍ２で、最後に、芝生の周りの縁部をオーバーロックして、オーバーロック構造４は２本糸オーバーロックで、二種類のテリレンオーバーロック糸の仕様は３０００Ｙである。
【００２１】
人造草糸１は偏平糸繊維、捲縮糸繊維とテート糸（ｔａｔｅ  ｙａｒｎ）の中の少なくとも一つを含み、かつ人造草糸１は異なる断面形状及び／又は異なる太さ及び／又は異なる色を有してもよく、オーバーロック糸はテリレンパイル糸としてもよい。
【００２２】
実施例２
実施例２はオーバーロック多機能人工芝生であり、まずはダブルツイストの人造草糸１を基布層２上にタフティングして、半製品の芝生を作り、そして、タフティングが完了した半製品の芝生の底背面に一つのＴＰＥの滑り止め層３を塗布して、エンボスローラによって滑り止め紋様をホットスタンピングし、滑り止め層の重さは０．８ｋｇ／ｍ２で、最後に、芝生の周りの縁部をオーバーロックして、オーバーロック構造４は３本糸オーバーロックで、上糸と縫い糸は３０００Ｙテリレンオーバーロック糸で、下糸は１０００Ｙテリレンオーバーロック糸である。
【００２３】
人造草糸１は偏平糸繊維、捲縮糸繊維とテート糸の中の少なくとも一つを含み、かつ人造草糸１は異なる断面形状及び／又は異なる太さ及び／又は異なる色を有してもよく、オーバーロック糸はテリレンパイル糸としてもよい。
【００２４】
実施例３
実施例３はオーバーロック多機能人工芝生であり、まずはダブルツイストの人造草糸１を基布層２上にタフティングして、半製品の芝生を作り、そして、タフティングが完了した半製品の芝生の底背面に一つのＰＥの滑り止め層３を塗布して、エンボスローラによって滑り止め紋様をホットスタンピングし、滑り止め層の重さは０．５ｋｇ／ｍ２で、最後に、芝生の周りの縁部をオーバーロックして、オーバーロック構造４は３本糸オーバーロックで、三種類のテリレンオーバーロック糸の仕様は３０００Ｙである。
【００２５】
人造草糸１は偏平糸繊維、捲縮糸繊維とテート糸の中の少なくとも一つを含み、かつ人造草糸１は異なる断面形状及び／又は異なる太さ及び／又は異なる色を有してもよく、オーバーロック糸はテリレンパイル糸としてもよい。
【００２６】
実施例４
実施例４はオーバーロック多機能人工芝生であり、まずはダブルツイストの人造草糸１を基布層２上にタフティングして、半製品の芝生を作り、そして、タフティングが完了した半製品の芝生の底背面に一つのＰＥプラスチック層を塗布して、固定の機能を果たし、ＰＥプラスチック層の単位面積あたりの重さは０．４ｋｇ／ｍ２で、ＰＥプラスチック層の底背面にさらに一つのプラスチックドット付き不織布を貼り合わせて、滑り止め層３を形成し、最後に、芝生の周りの縁部をオーバーロックして、オーバーロック構造４は４本糸オーバーロックで、上糸と縫い糸は２０００Ｙテリレンオーバーロック糸で、下糸は６００Ｙテリレンオーバーロック糸である。
【００２７】
人造草糸１は偏平糸繊維、捲縮糸繊維とテート糸の中の少なくとも一つを含み、かつ人造草糸１は異なる断面形状及び／又は異なる太さ及び／又は異なる色を有してもよく、オーバーロック糸はテリレンパイル糸としてもよい。
【００２８】
実施例５
実施例５はオーバーロック多機能人工芝生であり、まずはダブルツイストの人造草糸１を基布層２上にタフティングして、半製品の芝生を作り、そして、タフティングが完了した半製品の芝生の底背面に一つのＴＰＥの滑り止め層３を塗布して、エンボスローラによって滑り止め紋様をホットスタンピングし、滑り止め層の重さは０．７ｋｇ／ｍ２で、最後に、芝生の周りの縁部をオーバーロックして、オーバーロック構造４は３本糸オーバーロックで、上糸と縫い糸のテリレンオーバーロック糸の仕様は５０００Ｙで、下糸のテリレンオーバーロック糸の仕様は２０００Ｙである。
【００２９】
人造草糸１は偏平糸繊維、捲縮糸繊維とテート糸の中の少なくとも一つを含み、かつ人造草糸１は異なる断面形状及び／又は異なる太さ及び／又は異なる色を有してもよく、オーバーロック糸はテリレンパイル糸としてもよい。
【００３０】
実施例６
実施例６はオーバーロック多機能人工芝生であり、まずはダブルツイストの人造草糸１を基布層２上にタフティングして、半製品の芝生を作り、そして、タフティングが完了した半製品の芝生の底背面に一つのＥＶＡの滑り止め層３を塗布して、エンボスローラによって滑り止め紋様をホットスタンピングし、滑り止め層の重さは０．７ｋｇ／ｍ２で、最後に、芝生の周りの縁部をオーバーロックして、オーバーロック構造４は３本糸オーバーロックで、上糸と縫い糸のテリレンオーバーロック糸の仕様は５０００Ｙで、下糸のテリレンオーバーロック糸の仕様は２０００Ｙである。
【００３１】
人造草糸１は偏平糸繊維、捲縮糸繊維とテート糸の中の少なくとも一つを含み、かつ人造草糸１は異なる断面形状及び／又は異なる太さ及び／又は異なる色を有してもよく、オーバーロック糸はテリレンパイル糸としてもよい。
【００３２】
本明細書における各実施例は漸進的な方式で説明され、各実施例については他の実施例との相違点を重点的に説明され、各実施例間の同様や類似の部分については互いに参照するといい。実施例に開示される案については、それが実施例に開示される方法と対応するので、簡単に説明されており、関連する部分は、方法の部分の説明と参照するといい。
【００３３】
開示された実施例に対する上記説明によれば、当業者は本初英を実現或いは利用できるようになる。これらの実施例に対するさまざまな変更は当業者にとって明らかであり、本文で定義された一般的原理は、本考案の精神或いは範囲から逸脱することなく、他の実施例において実現できる。従って、本考案は、本文で示されたこれらの実施例に制限されることなく、本文で開示した原理と新規特徴に一致する最も広い範囲に合致する。
【符号の説明】
【００３４】
１  人造草糸
２  基布層
３  滑り止め層
４  オーバーロック構造
【図１】
0003233164.tif 000003
【図２】
0003233164.tif 000004
【手続補正書】
【提出日】令和3年5月24日(2021.5.24)
【手続補正１】
【補正対象書類名】実用新案登録請求の範囲
【補正対象項目名】全文
【補正方法】変更
【補正の内容】
【実用新案登録請求の範囲】
【請求項１】
オーバーロック多機能人工芝生であって、人造草糸１、基布層２、滑り止め層３及びオーバーロック構造４を含み、
前記人造草糸１は前記基布層２にタフティングされ、前記滑り止め層３は前記基布層２の底部に接着され、
前記基布層２と前記滑り止め層３の周りの縁部には前記オーバーロック構造４が設置され、
前記オーバーロック構造４はポリエステル系合成繊維糸でオーバーロックされてなる、ことを特徴とするオーバーロック多機能人工芝生。
【請求項２】
前記オーバーロック構造４は２本糸オーバーロック構造、３本糸オーバーロック構造、４本糸オーバーロック構造、５本糸オーバーロック構造の中の一種である
ことを特徴とする請求項１に記載のオーバーロック多機能人工芝生。
【請求項３】
前記２本糸オーバーロック構造は上糸と縫い糸とを含む
ことを特徴とする請求項２に記載のオーバーロック多機能人工芝生。
【請求項４】
前記３本糸オーバーロック構造、前記４本糸オーバーロック構造、前記５本糸オーバーロック構造は何れも上糸、下糸と縫い糸とを含む
ことを特徴とする請求項２に記載のオーバーロック多機能人工芝生。
【請求項５】
前記上糸、下糸と縫い糸は三種類の仕様が同一なポリエステル系合成繊維糸であり、或いは、少なくとも一つは異なる仕様のポリエステル系合成繊維糸である
ことを特徴とする請求項４に記載のオーバーロック多機能人工芝生。
【請求項６】
前記オーバーロック構造４のオーバーロック幅は０．５〜１．５ｃｍである
ことを特徴とする請求項１に記載のオーバーロック多機能人工芝生。
【請求項７】
前記オーバーロック構造４のオーバーロック幅は０．６〜１．０ｃｍであることを特徴とする請求項６に記載のオーバーロック多機能人工芝生。
【請求項８】
人工芝生の面積が１ｍ２より小さい場合、前記オーバーロック構造４の幅は０．６〜０．７ｃｍで、人工芝生の面積が１ｍ２より大きい場合、前記オーバーロック構造４の幅は０．７〜１ｃｍである
ことを特徴とする請求項７に記載のオーバーロック多機能人工芝生。
【請求項９】
前記滑り止め層３はＴＰＥゴム層、ＴＰＲゴム層、ＥＶＡゴム層、ＰＥプラスチック層、ＰＯＥゴム層、プラスチックドット付き不織布層の中の一種又は複数種の混合物である
ことを特徴とする請求項１に記載のオーバーロック多機能人工芝生。
【手続補正２】
【補正対象書類名】明細書
【補正対象項目名】０００７
【補正方法】変更
【補正の内容】
【０００７】
オーバーロック多機能人工芝生であって、人造草糸、基布層、滑り止め層及びオーバーロック構造を含み、前記人造草糸は前記基布層にタフティングされ、前記滑り止め層は前記基布層の底部に接着され、前記基布層と前記滑り止め層の周りの縁部には前記オーバーロック構造が設置され、前記オーバーロック構造はポリエステル系合成繊維糸でオーバーロックされてなる。
【手続補正３】
【補正対象書類名】明細書
【補正対象項目名】００１１
【補正方法】変更
【補正の内容】
【００１１】
好ましくは、上記オーバーロック多機能人工芝生において、前記上糸、下糸と縫い糸は三種類の仕様が同一なポリエステル系合成繊維糸であり、或いは、少なくとも一つは異なる仕様のポリエステル系合成繊維糸である。
【手続補正４】
【補正対象書類名】明細書
【補正対象項目名】００１２
【補正方法】変更
【補正の内容】
【００１２】
好ましくは、上記オーバーロック多機能人工芝生において、上糸と縫い糸は３０００Ｙ−５０００Ｙのポリエステル系合成繊維糸として、上糸は５００Ｙ−２０００Ｙのポリエステル系合成繊維糸とすることで、全体としてより重厚で品質がよく見えて、さらに単位面積あたりの重量が小さいの下糸を採用して、芝生と接触面とをよりフラットにフィットするようにする。